(57)【特許請求の範囲】
【請求項１】
発電設備から出力される直流を入力するＤＣ／ＤＣコンバータと、
該ＤＣ／ＤＣコンバータの直流出力を外部に出力するための直流出力部と、
商用電源系統に接続される系統連系スイッチと、
該系統連系スイッチを介して前記商用電源系統に接続され、前記ＤＣ／ＤＣコンバータの直流出力を交流変換して前記商用電源系統に出力するＤＣ／ＡＣ変換を実行するインバータと、
前記系統連系スイッチの前記商用電源系統側に接続されたＡＣスイッチと、
該ＡＣスイッチを介して前記商用電源系統に接続され、前記商用電源系統からの交流を整流して前記ＤＣ／ＤＣコンバータに出力する整流部と、
所定の解列条件で前記系統連系スイッチを解列する際に、該系統連系スイッチの解列の前に前記ＡＣスイッチを並列する制御部と、
を備えることを特徴とするパワーコンディショナ。
【請求項２】
前記制御部は、前記ＡＣスイッチを並列する際、前記発電設備が発電中の場合には、前記発電設備から出力される直流の電圧を前記整流部からの整流電圧に揃える、
ことを特徴とする請求項１に記載のパワーコンディショナ。
【請求項３】
前記ＤＣ／ＤＣコンバータは、前記発電設備から出力される直流の最大電力点追従機能を有し、
前記制御部は、前記最大電力点追従機能の動作を停止させて前記発電設備から出力される直流の電圧を前記整流部からの整流電圧に揃える、
ことを特徴とする請求項２に記載のパワーコンディショナ。
【請求項４】
前記発電設備として、太陽光パネルを含む設備に対して接続される、
ことを特徴とする請求項３に記載のパワーコンディショナ。
【請求項５】
前記制御部は、前記商用電源系統の系統電圧または系統周波数が所定範囲から外れた場合を前記所定の解列条件として、前記系統連系スイッチの解列および前記ＡＣスイッチの並列を制御する、
ことを特徴とする請求項１に記載のパワーコンディショナ。
【請求項６】
前記制御部は、前記所定の解列条件を検知してから、第１の時間内に前記系統連系スイッチの解列および前記ＡＣスイッチの並列を制御する、
ことを特徴とする請求項５に記載のパワーコンディショナ。
【請求項７】
前記第１の時間は２秒である、
ことを特徴とする請求項６に記載のパワーコンディショナ。
【請求項８】
前記制御部は、前記系統連系スイッチの解列および前記ＡＣスイッチの並列を実行した場合に、前記系統連系スイッチの解列から第２の時間経過した後に系統連系復帰処理を実行する、
ことを特徴とする請求項１に記載のパワーコンディショナ。
【請求項９】
前記第２の時間は１０秒である、
ことを特徴とする請求項８に記載のパワーコンディショナ。
【請求項１０】
前記制御部は、前記系統連系復帰処理として、前記所定の解列条件から外れた場合に前記系統連系スイッチの並列および前記ＡＣスイッチの解列を実行する、
ことを特徴とする請求項８に記載のパワーコンディショナ。
【請求項１１】
前記制御部は、前記系統連系スイッチを並列する際に、前記ＡＣスイッチの解列の前に前記系統連系スイッチの並列を実行する、
ことを特徴とする請求項１０に記載のパワーコンディショナ。
【請求項１２】
前記ＤＣ／ＤＣコンバータは、前記発電設備から出力される直流の最大電力点追従機能を有し、
前記制御部は、前記系統連系復帰処理の際に、前記最大電力点追従機能の動作を開始させる、
ことを特徴とする請求項８に記載のパワーコンディショナ。
【請求項１３】
前記インバータは、前記商用電源系統からの交流を直流変換して前記直流出力部に出力するＡＣ／ＤＣ変換も実行可能な双方向インバータであって、
前記双方向インバータは、前記ＤＣ／ＡＣ変換および前記ＡＣ／ＤＣ変換を選択的に実行する、
ことを特徴とする請求項１に記載のパワーコンディショナ。
【請求項１４】
発電設備から出力される直流を入力するＤＣ／ＤＣコンバータと、
該ＤＣ／ＤＣコンバータの直流出力を外部に出力するための直流出力部と、
商用電源系統に接続される系統連系スイッチと、
該系統連系スイッチを介して前記商用電源系統に接続され、前記ＤＣ／ＤＣコンバータの直流出力を交流変換して前記商用電源系統に出力するＤＣ／ＡＣ変換を実行するインバータとを備えるパワーコンディショナの制御方法であって、
前記系統連系スイッチの前記商用電源系統側に接続されたＡＣスイッチと、
該ＡＣスイッチを介して前記商用電源系統に接続され、前記商用電源系統からの交流を整流して前記ＤＣ／ＤＣコンバータに出力する整流部と、
所定の解列条件で前記系統連系スイッチを解列する際に、該系統連系スイッチの解列の前に前記ＡＣスイッチを並列する制御部と、
を備えることを特徴とする制御方法。
【請求項１５】
発電設備とパワーコンディショナとを有する発電システムであって、
前記パワーコンディショナが、
発電設備から出力される直流を入力するＤＣ／ＤＣコンバータと、
該ＤＣ／ＤＣコンバータの直流出力を外部に出力するための直流出力部と、
商用電源系統に接続される系統連系スイッチと、
該系統連系スイッチを介して前記商用電源系統に接続され、前記ＤＣ／ＤＣコンバータの直流出力を交流変換して前記商用電源系統に出力するＤＣ／ＡＣ変換を実行するインバータと、
前記系統連系スイッチの前記商用電源系統側に接続されたＡＣスイッチと、
該ＡＣスイッチを介して前記商用電源系統に接続され、前記商用電源系統からの交流を整流して前記ＤＣ／ＤＣコンバータに出力する整流部と、
所定の解列条件で前記系統連系スイッチを解列する際に、該系統連系スイッチの解列の前に前記ＡＣスイッチを並列する制御部と、
を備えることを特徴とする発電システム。
【発明の詳細な説明】
【関連出願の相互参照】
【０００１】
本出願は、２０１１年６月２２日に日本国に出願された特願２０１１−１３８７９３の優先権を主張するものであり、この先の出願の開示全体を、ここに参照のために取り込む。
【技術分野】
【０００２】
本発明は、発電設備と商用電源系統（系統）とを連系させるパワーコンディショナ、制御方法および発電システムに関するものである。
【背景技術】
【０００３】
太陽光パネル等の発電設備を備えた発電システムにおいては、発電設備と系統とを連系させるためのパワーコンディショナを備えている。このようなパワーコンディショナとして、蓄電池用の直流出力部を備え、発電設備や系統からの電力によって蓄電池を充電し、停電や系統電圧の低下等の系統異常発生時に、蓄電池から放電して電力を維持するようにしたものが知られている（例えば、特許文献１参照）。【０００４】
ここで、系統の電圧低下があった場合、「電力品質確保に係る系統連系技術要件ガイドライン」（平成１６年１０月１日  資源エネルギー庁）によると、「瞬時電圧低下対策を適用する時間は２秒程度まで」とある。そのため、系統に電圧低下があった場合は、２秒以内に発電設備６１を解列させる必要がある。そして、解列した後は、通常、解列状態を一定時間保持し、系統に異常が無いことが確認できれば自動復帰（並列）させるようになっている。
【先行技術文献】
【特許文献】
【０００５】
【特許文献１】特開２００３−１８９４７７号公報
【発明の概要】
【発明が解決しようとする課題】
【０００６】
ところで、直流出力部に蓄電池に代えて直流負荷を接続し、発電設備から得られる直流出力をＤＣ／ＤＣコンバータにより昇圧して、直流負荷を稼動することが想定される。しかも、双方向インバータにより系統から直流出力を得ることができるので、発電設備が例えば太陽光パネルの場合であっても、夜間にも直流出力を得ることが可能となる。【０００７】
しかしながら、このような構成においては、解列が発生すると、直流負荷の電源が発電設備のみとなって、直流負荷に十分な電力が供給されなくなる場合がある。特に、発電設備が太陽光パネルの場合は、夜間に解列が生じると、直流出力が得られなくなって、直流負荷を稼動できなくなる。なお、このような問題は、発電設備が太陽光パネルの場合に限らず、風力発電機や自家発電機等の種々の発電設備からの直流出力が変動する場合にも同様に生じるものである。【０００８】
したがって、かかる点に鑑みてなされた本発明の目的は、解列が発生しても直流出力を安定して得ることが可能なパワーコンディショナ、制御方法および発電システムを提供することにある。
【課題を解決するための手段】
【０００９】
上記目的を達成する第１の観点に係るパワーコンディショナの発明は、
発電設備から出力される直流を入力するＤＣ／ＤＣコンバータと、
該ＤＣ／ＤＣコンバータの直流出力を外部に出力するための直流出力部と、
商用電源系統に接続される系統連系スイッチと、
該系統連系スイッチを介して前記商用電源系統に接続され、前記ＤＣ／ＤＣコンバータの直流出力を交流変換して前記商用電源系統に出力するＤＣ／ＡＣ変換を実行するインバータと、
前記系統連系スイッチの前記商用電源系統側に接続されたＡＣスイッチと、
該ＡＣスイッチを介して前記商用電源系統に接続され、前記商用電源系統からの交流を整流して前記ＤＣ／ＤＣコンバータに出力する整流部と、
所定の解列条件で前記系統連系スイッチを解列する際に、該系統連系スイッチの解列の前に前記ＡＣスイッチを並列する制御部と、
を備えることを特徴とするパワーコンディショナ。【００１０】
第２の観点に係る発明は、第１の観点に係るパワーコンディショナにおいて、
前記制御部は、前記ＡＣスイッチを並列する際、前記発電設備が発電中の場合には、前記発電設備から出力される直流の電圧を前記整流部からの整流電圧に揃える、
ことを特徴とするものである。【００１１】
第３の観点に係る発明は、第２の観点に係るパワーコンディショナにおいて、
前記ＤＣ／ＤＣコンバータは、前記発電設備から出力される直流の最大電力点追従機能を有し、
前記制御部は、前記最大電力点追従機能の動作を停止させて前記発電設備から出力される直流の電圧を前記整流部からの整流電圧に揃える、
ことを特徴とするものである。【００１２】
第４の観点に係る発明は、第３の観点に係るパワーコンディショナにおいて、
前記発電設備として、太陽光パネルを含む設備に対して接続される、
ことを特徴とするものである。【００１３】
第５の観点に係る発明は、第１の観点に係るパワーコンディショナにおいて、
前記制御部は、前記商用電源系統の系統電圧または系統周波数が所定範囲から外れた場合を前記所定の解列条件として、前記系統連系スイッチの解列および前記ＡＣスイッチの並列を制御する、
ことを特徴とするものである。【００１４】
第６の観点に係る発明は、第５の観点に係るパワーコンディショナにおいて、
前記制御部は、前記所定の解列条件を検知してから、第１の時間内に前記系統連系スイッチの解列および前記ＡＣスイッチの並列を制御する、
ことを特徴とするものである。【００１５】
第７の観点に係る発明は、第６の観点に係るパワーコンディショナにおいて、
前記第１の時間は２秒である、
ことを特徴とするものである。
【００１６】
第８の観点に係る発明は、第１の観点に係るパワーコンディショナにおいて、
前記制御部は、前記系統連系スイッチの解列および前記ＡＣスイッチの並列を実行した場合に、前記系統連系スイッチの解列から第２の時間経過した後に系統連系復帰処理を実行する、
ことを特徴とするものである。【００１７】
第９の観点に係る発明は、第８の観点に係るパワーコンディショナにおいて、
前記第２の時間は１０秒である、
ことを特徴とするものである。【００１８】
第１０の観点に係る発明は、第８の観点に係るパワーコンディショナにおいて、
前記制御部は、前記系統連系復帰処理として、前記所定の解列条件から外れた場合に前記系統連系スイッチの並列および前記ＡＣスイッチの解列を実行する、
ことを特徴とするものである。【００１９】
第１１の観点に係る発明は、第１０の観点に係るパワーコンディショナにおいて、
前記制御部は、前記系統連系スイッチを並列する際に、前記ＡＣスイッチの解列の前に前記系統連系スイッチの並列を実行する、
ことを特徴とするものである。【００２０】
第１２の観点に係る発明は、第８の観点に係るパワーコンディショナにおいて、
前記ＤＣ／ＤＣコンバータは、前記発電設備から出力される直流の最大電力点追従機能を有し、
前記制御部は、前記系統連系復帰処理の際に、前記最大電力点追従機能の動作を開始させる、
ことを特徴とするものである。【００２１】
第１３の観点に係る発明は、第１の観点に係るパワーコンディショナにおいて、
前記インバータは、前記商用電源系統からの交流を直流変換して前記直流出力部に出力するＡＣ／ＤＣ変換も実行可能な双方向インバータであって、
前記双方向インバータは、前記ＤＣ／ＡＣ変換および前記ＡＣ／ＤＣ変換を選択的に実行する、
ことを特徴とするものである。【００２２】
さらに、上記目的を達成する第１４の観点に係る制御方法の発明は、
発電設備から出力される直流を入力するＤＣ／ＤＣコンバータと、
該ＤＣ／ＤＣコンバータの直流出力を外部に出力するための直流出力部と、
商用電源系統に接続される系統連系スイッチと、
該系統連系スイッチを介して前記商用電源系統に接続され、前記ＤＣ／ＤＣコンバータの直流出力を交流変換して前記商用電源系統に出力するＤＣ／ＡＣ変換を実行するインバータとを備えるパワーコンディショナの制御方法であって、
前記系統連系スイッチの前記商用電源系統側に接続されたＡＣスイッチと、
該ＡＣスイッチを介して前記商用電源系統に接続され、前記商用電源系統からの交流を整流して前記ＤＣ／ＤＣコンバータに出力する整流部と、
所定の解列条件で前記系統連系スイッチを解列する際に、該系統連系スイッチの解列の前に前記ＡＣスイッチを並列する制御部と、
を備えることを特徴とするものである。【００２３】
さらに、上記目的を達成する第１５の観点に係る発電システムの発明は、
発電設備とパワーコンディショナとを有する発電システムであって、
前記パワーコンディショナが、
発電設備から出力される直流を入力するＤＣ／ＤＣコンバータと、
該ＤＣ／ＤＣコンバータの直流出力を外部に出力するための直流出力部と、
商用電源系統に接続される系統連系スイッチと、
該系統連系スイッチを介して前記商用電源系統に接続され、前記ＤＣ／ＤＣコンバータの直流出力を交流変換して前記商用電源系統に出力するＤＣ／ＡＣ変換を実行するインバータと、
前記系統連系スイッチの前記商用電源系統側に接続されたＡＣスイッチと、
該ＡＣスイッチを介して前記商用電源系統に接続され、前記商用電源系統からの交流を整流して前記ＤＣ／ＤＣコンバータに出力する整流部と、
所定の解列条件で前記系統連系スイッチを解列する際に、該系統連系スイッチの解列の前に前記ＡＣスイッチを並列する制御部と、
を備えることを特徴とするものである。
【発明の効果】
【００２４】
本発明によると、解列が発生しても直流出力を安定して得ることが可能となる。
【図面の簡単な説明】
【００２５】
【図１】本発明の一実施の形態に係るパワーコンディショナの要部の構成を示すブロック図である。
【図２】図１のパワーコンディショナの動作を示すフローチャートである。
【図３】図２の復帰処理を示すフローチャートである。
【発明を実施するための形態】
【００２６】
以下、本発明の実施の形態について、図を参照して説明する。
【００２７】
図１は、本発明の一実施の形態に係るパワーコンディショナの要部の構成を示すブロック図である。このパワーコンディショナ１０は、直流入力部１１、ＤＣ／ＤＣコンバータ１２、双方向インバータ１３、系統連系スイッチ１４、交流入出力部１５、ＡＣスイッチ１６、整流部１７、直流出力部１８、および制御部１９を備える。
【００２８】
直流入力部１１は、接続端子および電圧／電流検出回路を含み、太陽光パネル、風力発電機、燃料電池や自家発電機等の発電設備２１から出力される直流（ＤＣ）が入力される。この直流入力部１１の直流出力は、ＤＣ／ＤＣコンバータ１２に入力される。また、直流入力部１１の電圧／電流検出回路の検出出力は、制御部１９に入力される。
【００２９】
ＤＣ／ＤＣコンバータ１２は、制御部１９の制御によるＭＰＰＴ（Maximum Power Point Tracking：最大電力点追従）機能を有し、入力される直流電圧を制御して、双方向インバータ１３および直流出力部１８にそれぞれ入力する。
【００３０】
双方向インバータ１３は、制御部１９の制御により、ＤＣ／ＤＣコンバータ１２からの直流入力を選択的にＤＣ／ＡＣ変換して、系統連系スイッチ１４および交流入出力部１５を経て商用電源系統（系統）２２へ逆潮流する。また、双方向インバータ１３は、制御部１９の制御により、系統２２から交流入出力部１５および系統連系スイッチ１４を経て入力される交流（ＡＣ）を選択的にＡＣ／ＤＣ変換して、直流出力部１８に入力する。
【００３１】
系統連系スイッチ１４は、制御部１９によりＯＮ（並列）／ＯＦＦ（解列）制御されるリレースイッチで構成され、系統２２から発電設備２１を選択的に解列する。つまり、図１の場合、双方向インバータ１３を系統２２から選択的に解列する。この系統連系スイッチ１４が、発電設備２１の解列点となる。
【００３２】
交流入出力部１５は、接続端子、電圧／電流検出回路、周波数検出回路を含み、系統２２からの交流または双方向インバータ１３から交流を入出力する。また、交流入出力部１５の電圧／電流検出回路、周波数検出回路の検出出力は、制御部１９に入力される。
【００３３】
ＡＣスイッチ１６は、制御部１９によりＯＮ／ＯＦＦ制御されるリレースイッチで構成され、ＯＮ時において、系統２２から交流入出力部１５を経て入力される交流入力を整流部１７に入力する。
【００３４】
整流部１７は、系統２２からの交流を直流に整流する。この整流された直流出力は、ＤＣ／ＤＣコンバータ１２に入力される。
【００３５】
直流出力部１８は、接続端子を含み、該接続端子に、蓄電池、ＬＥＤ照明機器、パーソナルコンピュータ、インバータ機器等の直流電源を要する直流負荷２３が接続される。そして、直流負荷２３に、ＤＣ／ＤＣコンバータ１２あるいは双方向インバータ１３からの直流電力が給電される。また、直流出力部１８は、電圧／電流検出回路を含み、それらの検出出力が制御部１９に入力される。
【００３６】
制御部１９は、動作プログラムや各種の整定範囲、整定値等を記憶するメモリ、タイマ機能等を含む。そして、制御部１９は、直流入力部１１からの電圧／電流検出出力、交流入出力部１５からの電圧／電流検出出力および周波数検出出力、直流出力部１８からの電圧／電流検出出力に基づいて、ＤＣ／ＤＣコンバータ１２のＭＰＰＴ機能や、系統連系スイッチ１４およびＡＣスイッチ１６の開閉等を制御する。
【００３７】
以下、本実施の形態に係るパワーコンディショナ１０の動作を、図２に示すフローチャートを参照しながら説明する。なお、初期状態においては、系統連系スイッチ１４がＯＮ状態、ＡＣスイッチ１６がＯＦＦ状態にあるものとする。
【００３８】
先ず、制御部１９は、所定の解列条件を満たすか否かを判定する（ステップＳ２０１）。ここでは、所定の解列条件として、交流入出力部１５からの電圧／電流検出出力および周波数検出出力に基づいて、系統２２の系統電圧または系統周波数が整定範囲を外れたか否かを判定する。
【００３９】
その結果、いずれも整定範囲にある場合は、発電設備２１の発電電力と直流負荷２３の消費電力（直流負荷電力）との大小関係に応じて、発電設備２１または系統２２から直流負荷２３に電力が供給される。例えば、発電電力＞直流負荷電力の場合は、発電電力がＤＣ／ＤＣコンバータ１２を経て直流負荷２３に供給される。また、発電電力がＤＣ／ＤＣコンバータ１２および双方向インバータ１３を経て系統２２に逆潮流する。発電電力＜直流負荷電力の場合は、発電電力とともに系統２２からの交流が双方向インバータ１３により直流に変換されて直流負荷２３に給電される。発電電力＝直流負荷電力の場合は、発電電力が逆潮流することなく、また、系統２２から電力を得ることもなく、発電電力がＤＣ／ＤＣコンバータ１２を経て直流負荷２３に供給される。
【００４０】
これに対し、ステップＳ２０１において、系統２２の系統電圧または系統周波数が整定範囲から外れていると判定された場合、制御部１９は、ＡＣスイッチ１６をＯＮとする（ステップＳ２０２）。これにより、ＤＣ／ＤＣコンバータ１２には、系統２２の交流が整流部１７で直流に整流されて供給される。さらに、制御部１９は、直流入力部１１からの電圧／電流検出出力に基づいて、発電設備２１が発電中か否かを判定する（ステップＳ２０３）。
【００４１】
その結果、発電設備２１が発電中の場合、制御部１９は、ＤＣ／ＤＣコンバータ１２がＭＰＰＴ動作中であれば、ＭＰＰＴ機能の動作を停止して（ステップＳ２０４）、ＤＣ／ＤＣコンバータ１２において発電設備２１の発電電圧を、整流部１７からの整流電圧に揃える（ステップＳ２０５）。次に、制御部１９は、系統連系スイッチ１４をＯＦＦにするとともに、双方向インバータ１３のゲートブロックをＯＮにする、つまりゲート信号を遮断する（ステップＳ２０６）。これにより、発電設備２１および双方向インバータ１３は、系統２２から解列される。この解列は、ステップＳ２０１において系統２２の系統電圧または系統周波数が整定範囲から外れていると判定されてから、上述したように２秒以内で行われる。なお、ステップＳ２０３において、発電設備２１が発電中でない場合は、ステップＳ２０６に移行する。
【００４２】
その後、制御部１９は、解列後の復帰時間の整定値（例えば、１０秒）に設定されたタイマを起動させて、系統の復帰処理を実行する（ステップＳ２０７）。
【００４３】
図３は、図２のステップＳ２０７による復帰処理を示すフローチャートである。先ず、制御部１９は、タイマが整定値に達したか否かを判定する（ステップＳ３０１）。そして、整定値に達したら、制御部１９は、交流入出力部１５からの電圧／電流検出出力および周波数検出出力に基づいて、系統２２が回復したか否か、つまり系統電圧または系統周波数が整定範囲に回復したか否かを判定する（ステップＳ３０２）。
【００４４】
その結果、系統２２が回復したと判定された場合、制御部１９は、系統連系スイッチ１４をＯＮにするとともに、双方向インバータ１３のゲートブロックをＯＦＦつまりゲート信号を供給する（ステップＳ３０３）。これにより、発電設備２１および双方向インバータ１３は、系統２２に連系される。
【００４５】
その後、制御部１９は、ＡＣスイッチ１６をＯＦＦとし（ステップＳ３０４）、さらに、ＤＣ／ＤＣコンバータ１２のＭＰＰＴ機能の動作を開始して（ステップＳ３０５）、復帰処理を終了する。
【００４６】
以上のように、本実施の形態に係るパワーコンディショナ１０によると、系統電圧や系統周波数が整定範囲から外れたことが検出されると、解列に先立って系統２２の交流が整流部１７により直流に整流されてＤＣ／ＤＣコンバータ１２に供給される。したがって、その後に双方向インバータ１３が解列されても、発電設備２１の発電電力に影響されることなく、直流負荷２３に直流電力を継続して給電することができる。これにより、直流負荷２３を安定して稼動することが可能となる。
【００４７】
また、整流部１７の整流出力は、ＤＣ／ＤＣコンバータ１２に入力されるので、整流部１７からは、必ずしも一定電圧の直流を出力させる必要はなく、脈流があってもよい。したがって、整流部１７は、一つのダイオードを有する半波整流回路やダイオードブリッジを有する全波整流回路により、簡単に構成することができる。
【００４８】
なお、本発明は、上記実施の形態にのみ限定されるものではなく、発明の趣旨を逸脱しない範囲で種々変更可能である。例えば、図１において、双方向インバータ１３と系統連系スイッチ１４との間に交流負荷を接続して、発電設備２１または系統２２により交流負荷に給電することも可能である。また、図１の直流入力部１１の機能は、ＤＣ／ＤＣコンバータ１２に持たせることができる。同様に、交流入出力部１５の機能は、双方向インバータ１３に持たせることもできる。また、ＤＣ／ＤＣコンバータ１２のＭＰＰＴ機能は、ＡＣスイッチ１６をＯＮする場合は、常に動作を停止させるように制御してもよい。さらに、系統連系スイッチ１４を直列に２つ設けるようにしてもよい。
【符号の説明】
【００４９】
１０  パワーコンディショナ
１１  直流入力部
１２  ＤＣ／ＤＣコンバータ
１３  双方向インバータ
１４  系統連系スイッチ
１５  交流入出力部
１６  ＡＣスイッチ
１７  整流部
１８  直流出力部
１９  制御部
２１  発電設備
２２  商用電源系統（系統）
２３  直流負荷
【図１】
0005646751.tif 000002
【図２】
0005646751.tif 000003
【図３】
0005646751.tif 000004